(57)【特許請求の範囲】
【請求項１】
筐体と、
前記筐体の背面に配置され、前記筐体を傾斜状態で支持するためのスタンドと、
前記筐体の前記背面に対して前記スタンドを回動可能に接続する回動手段と、
前記筐体の背面と前記スタンドとの間に設けられ、前記筐体の背面に対する前記スタンドの角度を複数段に選択可能とし、選択段にて前記スタンドの回動をロックするロック装置とを備え、
前記回動手段は、
前記筐体及び前記スタンドの一方に設けられた回動軸と、
前記筐体及び前記スタンドの他方に設けられ、前記回動軸を受け入れる受け部と
を含み、
前記ロック装置は、
前記スタンドの上端に設けられた係合爪と、
前記筐体の背面に設けられ、前記係合爪と係合可能な複数の係合窪みと、
前記受け部を形成するガイド溝であって、前記回動軸の相対的な移動を許容し、且つ、前記係合爪が選択された係合窪みに係合されたとき、前記回動軸の移動を阻止するガイド溝と
を含むことを特徴とするスタンド付き電子機器。
【請求項２】
前記ガイド溝は、
前記回動軸の軸線に直交する方向に延び、この方向への前記回動軸の移動を許容するメイン溝であって、前記方向と前記係合爪が前記係合窪みに対して係合する方向が一致する、メイン溝と、
前記メイン溝と交差して延び、前記回動軸を受け入れたとき、前記方向への前記回動軸の移動を阻止するサブ溝と
を有することを特徴とする請求項１に記載のスタンド付き電子機器。
【請求項３】
前記係合窪みは、前記回動軸の軸線を中心に放射状に配置されていることを特徴とする請求項１又は２に記載のスタンド付き電子機器。
【請求項４】
前記筐体の背面に設けられた筐体壁掛手段と、
前記スタンドに設けられたスタンド壁掛手段と
を更に備えることを特徴とする請求項１〜３の何れかに記載のスタンド付き電子機器。
【請求項５】
前記筐体壁掛手段は、前記筐体の背面において、電子機器が掛けられる壁面側に向かって開口した筐体壁掛孔であり、
前記スタンド壁掛手段は、前記スタンドが前記筐体の背面に沿う休止位置の選択段にあるとき、前記背面とは反対側に向けて開口したスタンド壁掛孔であることを特徴とする請求項４に記載のスタンド付き電子機器。
【請求項６】
前記スタンドは、前記休止位置にあるとき、前記筐体内に差し込まれるロック爪を有することを特徴とする請求項５に記載のスタンド付き電子機器。
【請求項７】
前記ガイド溝は、Ｌ字形状をなしている請求項１〜６の何れかに記載のスタンド付き電子機器。
【請求項８】
前記ガイド溝は、Ｔ字形状をなしている請求項１〜６の何れかに記載のスタンド付き電子機器。
【請求項９】
前記ガイド溝は、前記回動軸の移動を阻止する部位の底に他の部位よりも凹んだ凹みを有し、この凹みに前記回動軸の先端の受け入れが許容されていることを特徴とする請求項１〜８の何れかに記載のスタンド付き電子機器。
【発明の詳細な説明】
【技術分野】
【０００１】
本発明は、電話機等の電子機器に係わり、より詳しくは、電子機器の設置角度を調整するためのスタンドを有する電子機器に関する。
【背景技術】
【０００２】
例えば、卓上・壁掛け兼用電子機器の中には、卓上にて使用されるとき、電子機器における機器本体の設置角度を調整するためにスタンド装置を備えたものがあり、このスタンド装置は、機器本体を上下方向に回動自在に支持するベースと、このベースと機器本体との間に配置され、ベースに対して機器本体を所定の設置角度に保持するスタンドとを含む。このようなスタンド装置は、部品点数が多いため、電子機器の製造効率の低下、製造コストの増加を招く。また、スタンド装置にはベースが必要不可欠であるため、スタンド装置は電子機器における外観デザインの自由度を低下させる。
【０００３】
ここで、上述のベースを省略した電子機器の１つの態様として、例えば、特許文献１に開示された卓上・壁掛け兼用電子機器が知られており、この電子機器のスタンド装置はスタンドのみを含んでいる。
【特許文献１】特開２００７−９６８７８号公報
【発明の開示】
【発明が解決しようとする課題】
【０００４】
特許文献１の電子機器の場合、機器本体に許容される設置角度は１つのみである。即ち、スタンドは、機器本体に回動可能に取り付けられ、機器本体の傾斜角を決定する作動位置と機器本体内の格納位置との何れかに回動して位置付けられる。それ故、使用状況等に応じて機器本体の設置角度を変更する必要が生じても、この要求に特許文献１の電子機器は対処できないという課題を有する。
【０００５】
また、スタンドが作動位置にあるとき、スタンドはその基部にて、機器本体の回動規制部に当接されている。この回動規制部は作動位置から格納位置に向かう方向へのスタンドの回動を阻止する。より詳しくは、スタンドは機器本体の幅方向に移動自在であり、この幅方向に移動されることで、作動位置にて、回動規制部と当接可能となる。
しかしながら、上述したようにスタンドは機器本体の幅方向に移動自在であるから、スタンドに側方からの外力が加えられれば、スタンドが機器本体の幅方向に移動し、回動規制部から外れてしまう。このような場合、スタンドは作動位置から格納位置に向けて不用意に回動し、機器本体をその設置角度に安定して保持できないという課題を有する。
【０００６】
本発明は、上記の課題を解決するために提案されたものであり、その目的とするところは、簡単な機構で、機器本体の設置角度の選択が可能であり、そして、選択した設置角度にて機器本体を確実に保持することができるスタンド付き電子機器を提供することにある。
【課題を解決するための手段】
【０００７】
上記目的を達成するために、本発明のスタンド付き電子機器は、筐体と、前記筐体の背面に配置され、前記筐体を傾斜状態で支持するためのスタンドと、前記筐体の前記背面に対して前記スタンドを回動可能に接続する回動手段と、前記筐体の背面と前記スタンドとの間に設けられ、前記筐体の背面に対する前記スタンドの角度を複数段に選択可能とし、選択段にて前記スタンドの回動をロックするロック装置とを備え、前記回動手段は、前記筐体及び前記スタンドの一方に設けられた回動軸と、前記筐体及び前記スタンドの他方に設けられ、前記回動軸を受け入れる受け部とを含み、前記ロック装置は、前記スタンドの上端に設けられた係合爪と、前記筐体の背面に設けられ、前記係合爪と係合可能な複数の係合窪みと、前記受け部を形成するガイド溝であって、前記回動軸の相対的な移動を許容し、且つ、前記係合爪が選択された係合窪みに係合されたとき、前記回動軸の移動を阻止するガイド溝とを含むことを特徴とするものである（請求項１）。
【０００９】
また、本発明のスタンド付き電子機器は、請求項１に記載のスタンド付き電子機器において、前記ガイド溝は、前記回動軸の軸線に直交する方向に延び、この方向への前記回動軸の移動を許容するメイン溝であって、前記方向と前記係合爪が前記係合窪みに対して係合する方向が一致する、メイン溝と、前記メイン溝と交差して延び、前記回動軸を受け入れたとき、前記方向への前記回動軸の移動を阻止するサブ溝とを有する構成とすることが好ましい（請求項２）。
【００１０】
また、本発明のスタンド付き電子機器は、請求項１又は２に記載のスタンド付き電子機器において、前記係合窪みは、前記回動軸の軸線を中心に放射状に配置されている構成とすることが好ましい（請求項３）。
また、本発明のスタンド付き電子機器は、請求項１〜３の何れかに記載のスタンド付き電子機器において、前記筐体の背面に設けられた筐体壁掛手段と、前記スタンドに設けられたスタンド壁掛手段とを更に備える構成とすることが好ましい（請求項４）。
【００１１】
具体的には、前記筐体壁掛手段は、前記筐体の背面において、電子機器が掛けられる壁面側に向かって開口した筐体壁掛孔であり、前記スタンド壁掛手段は、前記スタンドが前記筐体の背面に沿う休止位置の選択段にあるとき、前記背面とは反対側に向けて開口したスタンド壁掛孔である構成とすることが好ましい（請求項５）。
また、より具体的には、前記スタンドは、前記休止位置にあるとき、前記筐体内に差し込まれるロック爪を有する構成とすることが好ましい（請求項６）。
【００１２】
また、前記ガイド溝は、Ｌ字形状をなしている構成とすることが好ましい（請求項７）。
また、前記ガイド溝は、Ｔ字形状をなしている構成とすることが好ましい（請求項８）。
更に、前記ガイド溝は、前記回動軸の移動を阻止する部位の底に他の部位よりも凹んだ凹みを有し、この凹みに前記回動軸の先端の受け入れが許容されている構成とすることがより好ましい（請求項９）。
【発明の効果】
【００１３】
請求項１乃至請求項９に記載の本発明によれば、回動手段により筐体の背面に回動可能に接続されているスタンドをロック装置により筐体の背面に対する角度を複数段で選択しその選択段でロックすることができる。これにより機器本体を選択した設置角度にて確実に保持することができる。
また、請求項１に記載の本発明によれば、回動手段とロック装置とを比較的簡単な構成で得られるので、製造効率の向上、製造コストの削減が図れる。
【００１４】
請求項２に記載の本発明によれば、回動軸がガイド溝のメイン溝に沿って摺動することによりスタンドが係合窪みに向かって進み、スタンドの係合爪が係合窪みと係合する。この状態で回動軸をサブ溝に進入させることにより、係合爪と係合窪みとの係合が簡単確実にロックされる。また、回動軸をサブ溝から外すことにより簡単にロックを解除することができる。このように、本発明によれば、簡単な構成で、スタンドを所定角度に確実に固定でき、しかも、その固定の解除も容易であることから、電子機器の角度の調整が容易にできる。このため、本発明は、スタンド付き電子機器において、スタンドの角度を保持するためのベース部材等の別部材を省略することができ、製造効率の向上、製造コストの削減が図れ、更に、電子機器における外観デザインの自由度の向上にも貢献する。
【００１５】
更に、請求項３に記載の本発明によれば、複数の係合窪みが回動軸を中心に放射状に配置されているので、その係合窪みの位置に応じた角度だけスタンドの角度を調整することができる。このため、電子機器の角度調整の幅を広げることができる。
請求項４及び請求項５に記載の本発明によれば、壁掛手段により電子機器を壁掛け使用することができる。本発明では、スタンドにも壁掛手段を設けているので、電子機器全体としての外観デザインの自由度が確保されている。
【００１６】
請求項６に記載の本発明によれば、スタンドは、更にロック爪を有しており、このロック爪が筐体内に差し込まれることにより、スタンドの回動は規制され、スタンドを休止位置の状態に確実にロックすることができる。このため、本発明では、スタンドに壁掛手段を設けても電子機器の壁掛け使用に十分耐えることができる。従って、スタンドにも壁掛孔を配設することができるので、電子機器全体としての外観デザインの自由度の向上に寄与する。
【００１７】
請求項７及び８に記載の本発明によれば、ガイド溝の形態を簡易な形態とすることができ、電子機器全体としての製造効率の向上に寄与する。
請求項９に記載の本発明によれば、ガイド溝内の凹みに回動軸の先端が嵌め込まれることにより、回動軸がロック状態位置から不用意に外れることを防止でき、より確実なロックがなされる。
【発明を実施するための最良の形態】
【００１８】
以下、図面を参照しながら、本発明に係るスタンド付き電子機器の実施の形態を説明する。
（実施例１）
図１は、スタンド付き電子機器の一実施例であるスタンド付き電話機を示す。
この電話機２は機器本体としての筐体４と、筐体４の前面左側部に載置された送受話器６と、筐体４の背面部に配設されたスタンド８とを備えている。ここで、図１中の電話機２に関して、矢印Ａ方向を上方側、矢印Ｂ方向を下方側、矢印Ｃ方向を前面側、矢印Ｄ方向を背面側、矢印Ｅ方向を左方側、矢印Ｆ方向を右方側とする。
【００１９】
筐体４はプラスチック材料から形成され、その前面を形成する前面パネル１０と、その背面部を形成するリアケース１２とを備えている。なお、筐体４内には送受話器６以外の電話機能部品（図示しない）が収容されている。
ここで、前面パネル１０の表面には、図１から明らかなように、ダイヤルキー１４、局線ボタン１６、機能ボタン１８、液晶表示器２０、スピーカ音量ボタン２２等が配置されている。なお、前面パネル１０の左側部には、上下一対の凹部２４，２４が設けられ、これら凹部２４は、送受話器６の受け座を形成する。また、一対の凹部２４間にはその中間に多数の孔２６が形成されている。これら孔２６はマトリックス状に分布され、そして、筐体４内には孔２６の分布域に対応した位置にスピーカが配置されている。
【００２０】
リアケース１２は、図２に示すように扁平な箱形状をなし、背壁２９と、この背壁２９を囲む周壁とを有する。背壁２９と周壁との間はラウンドコーナに形成されているが、背壁２９の上下の縁と周壁の上下の壁部との間のラウンドコーナは、背壁２９の左右の縁と周壁の左右の壁部との間のラウンドコーナよりも大きな曲率半径を有する。
背壁２９の中央には略矩形の膨出部３０が設けられ、この膨出部３０は背壁２９の幅方向に長い。更に、膨出部３０にはその中央に溝３６を有し、この溝３６は背壁２９の上下方向（ＡＢ方向）に延びている。
【００２１】
溝３６内には、直方体形状の掛止ブロック４０が配置されている。この掛止ブロック４０は一部が溝３６から背壁２９上に突出している。背壁２９と平行な掛止ブロック４０及び膨出部３０の背面は、背壁２９から同一距離だけ離れている。即ち、掛止ブロック４０及び膨出部３０の背面は同一面内に配置されている。掛止ブロック４０には、２つのロアフック孔４８が形成されており、これらロアフック孔４８は背壁２９の上下方向に離間している。これらロアフック孔４８は、壁に取り付けられたフック部材（図示せず）を係合させるために使用される。
【００２２】
また、リアケース１２の下側のラウンドコーナにはその両端部に一対のラバーパッド４２がそれぞれ取り付けられている。これらラバーパッド４２は下側のラウンドコーナに沿う円弧状をなしている。
なお、図２中、参照符号４４は、モジュラーソケットの取り付け孔を示す。
そして、膨出部３０にはその両側面から一対の回動軸３２，３２が突設され、そして、背壁２９には一対の回動軸３２にそれぞれ隣接して一対の凹所３８が形成されている。即ち、これら凹所３８は膨出部３０の対応する側の側面に隣接して位置付けられている。図３からより明らかなように、各凹所３８は回動軸３２を中心としたアーチ形状をなし、例えば、３つのＶ字溝４６を有する。これらＶ字溝４６は回動軸３２の軸線方向に延び、回動軸３２を中心として放射状に配置されている。
【００２３】
一方、前述したスタンド８は筐体４と同様にプラスチック材料から形成され、図２に示すように、前述の膨出部３０をその三方から囲むことができる略Ｕ字形状をなしている。即ち、スタンド８は、一対の主脚５０，５０と、これら主脚５０の基部を連結する補助脚５２とを備えている。これら主脚５０及び補助脚５２は何れもプレート状をなし、その厚さは前述した膨出部３０の高さに一致しているか、この高さよりも僅かに薄い。なお、図２には、スタンド８の裏面が現れている。
【００２４】
より詳しくは、スタンド８の軽量化を図るため、各主脚５０及び補助脚５２の裏面は周壁を残して開かれて、これらの裏面にはリブ６０，７４がそれぞれ配置されている。これらリブ６０，７４は、軽量化に伴うスタンド８の強度不足を補う。
各主脚５０はその先端部に係合爪５６を有する。この係合爪５６は主脚５０の先端部からその長手方向に突出し、前述したＶ字溝４６の１つと合致可能な三角形状、即ち、楔形状をなしている。
【００２５】
更に、一対の主脚５０の先端部間の間隔は、主脚５０の基端部間の間隔よりも僅かに狭い。即ち、一対の主脚５０は互いに平行ではなく、スタンド８の中心軸線に対し、図２中矢印Ｇ，Ｈ方向に向けて僅かに傾斜している。
更に、各主脚５０の先端部にはその内側面６２にガイド溝５８がそれぞれ形成されている。これらガイド溝５８はスタンド８の幅方向でみて互いに対向し、その詳細は図４に示されている。図４から明らかなように、ガイド溝５８はＬ字形状をなし、２つの端を有する。より詳しくは、ガイド溝５８は、主脚５０の表面側に位置付けられ且つ主脚５０の長手方向に延びるメイン溝部６４と、このメイン溝部６４に略直交するサブ溝部６６とを有し、このサブ溝部６６は主脚５０の基端側に位置したメイン溝部６４の端から主脚５０の裏面側に向けて延びている。メイン溝部６４及びサブ溝部６６は、前述した回動軸３２を受け入れ可能な大きさ、即ち、回動軸３２の直径と同一又は若干広い幅を有する。
【００２６】
また、ガイド溝５８の両端は、回動軸３２の外周に合致可能な円弧状をなしている。更に、サブ溝部６６は、図５から明らかなように、メイン溝部６４よりも深く円形の凹みとして形成され、この凹みはメイン溝部６４内に入り込んでいる。なお、サブ溝部６６の底とメイン溝部６４の底との間の段差は傾斜面６３に形成されている。
一方、前述した補助脚５２は、図２に示すように、その裏面中央に掛止ブロック７５を有し、この掛止ブロック７５に前述したロアフック孔４８と同様なアッパフック孔７６が形成されている。
【００２７】
また、補助脚５２は一対のロック爪７８を有する。これらロック爪７８は主脚５０側に位置した補助脚５２の内端面から主脚５０の先端部に向けて突出している。詳しくは、一対のロック爪７８は掛止ブロック７５の両側に配置され、補助脚５２の表面と同一の面内に位置付けられている。
一対のロック爪７８は前述した膨出部３０内に差込み可能であり、このため、図６に示されるように、膨出部３０の上端面には一対のロック爪７８の挿入を許容する一対の差込み孔３４が形成されている。
【００２８】
前述したスタンド８は、図２中一点鎖線で示すように、一対の主脚５０の間にリアケース１２の膨出部３０を挟み込み、そして、先端部のガイド溝５８内に膨出部３０の対応する側の回動軸３２を受け入れた状態で、リアケース１２の背面に取り付けられている。
図７は休止位置にあるスタンド８を示す。
この休止位置にて、スタンド８はその上下を逆にしてリアケース１２の背面に重ね合わされて、リアケース１２の膨出部３０をその三方から囲んだ状態にあり、そして、回動軸３２は対応する側のガイド溝５８内にて、ロック位置に位置付けられている。
【００２９】
ここで、ガイド溝５８内での回動軸３２の相対的な位置を説明する上で、便宜的にガイド溝５８を３つの領域に分けて考える。すなわち、図８に示すように、サブ溝部６６を領域ａ、メイン溝部６４の補助脚５２側の部分を領域ｂ、メイン溝部６４の係合爪５６側の部分を領域ｃとしたとき、ロック位置にある回動軸３２はガイド溝５８の領域ａに位置付けられている。それ故、スタンド８の一対の主脚５０は，前述したようにスタンド８の中心軸線に対して僅かに傾斜した状態にあるから、回動軸３２の先端はガイド溝５９のサブ溝部６６（領域ａ）に落ち込んだ状態にある。
【００３０】
なお、回動軸３２とＶ字溝４６との間の距離や、ガイド溝５８と係合爪５６との間の距離は後述の説明から明らかとなる。
また、スタンド８が休止位置にあるとき、図９に示されるようにスタンド８の一対のロック爪７８は矢印Ｊ方向から、前述したリアケース１２における膨出部３０の差込み孔３４に差し込まれた状態にある。
【００３１】
それ故、休止位置にあるスタンド８は、リアケース１２の背壁２９に沿った状態で多重にロックされている。より詳しくは、先ず、スタンド８が起立する方向（図９中矢印Ｋ方向）への回動はロック爪７８により規制されている。しかも、図１０及び１１を参照すればより明らかなように、回動軸３２（説明の都合上黒点で示している。）はガイド溝５８内の領域ａに位置付けられているので、ロック爪７８の差込み及び抜出し方向へのスタンド８の移動は回動軸３２により阻止され、ロック爪７８が差込み孔３４から抜け出ることはない。よって、スタンド８は、リアケース１２の背面に確実に保持されている。
【００３２】
更に、ガイド溝５８のサブ溝部６６、すなわち領域ａは、図４，５から明らかなように、ガイド溝５８の他の領域よりも一段凹んでいるので、回動軸３２が領域ａから抜け出すには、スタンド８における一対の主脚５０はこれらの先端部がリアケース１２の幅方向でみて互い離れるように強制的に弾性変形されなければならない。この結果、スタンド８はリアケース１２の背面に確実に保持され、スタンド８がリアケース１２の背面から自重により離れることはない。
【００３３】
スタンド８が上述した休止位置にあるとき、電話機２は卓上に載置して使用されるか、又は、リアケース１２のロアフック孔４８及びアッパフック孔７６を利用し、室内の壁にフックを介して引っ掛けた壁掛け状態にて使用される。
ここで、アッパフック孔７６はスタンド８に備えられているが、前述したように休止位置にあるスタンド８はリアケース１２の背面に確実に保持、即ち、固定されているので、スタンド８のアッパフック孔７６がそのフックから外れることはない。
【００３４】
電話機２が卓上にて使用される場合、使用者は、液晶表示器２０が見易くなるよう電話機２の設置角度を調整することも可能である。ここでの調整は、電話機２のスタンド８をリアケース１２の背面から離し、リアケース１２の背面に対してスタンド８を所望の角度に保持することにより、実施される。
具体的には、上述したロック状態が解除されるが、このロック解除は以下の手順により実施される。
【００３５】
先ず、スタンド８は図１０及び１１に示す休止位置から、図１２及び１３に示すように、その一対の主脚５０の先端部がリアケース１２の背面から離れるように、矢印Ｌ方向に持ち上げられる。このとき、ガイド溝５８におけるサブ溝部６６とメイン溝部６４の段差が前述した傾斜面６３（図４参照）に形成されているので、リアケース１２の回動軸３２の先端はガイド溝５８の傾斜面６３を相対的に押圧し、これにより、一対の主脚５０は弾性変形を伴い、リアケース１２の幅方向でみて外側に向けて弾性変位し、一対の主脚５０における先端部間の間隔が増加される。それ故、回動軸３２の先端は、ガイド溝５８の領域ａ、即ち、サブ溝部６６の凹部より抜け出し、ガイド溝５８の領域ｂに相対的に移動する。この時点で、主脚５０の長手方向へのスタンド８の移動規制が解除され、前記長手方向へのスタンド８の移動が許容される。
【００３６】
この後、図１４及び１５に示されるように、スタンド８は矢印Ｍ方向へ移動される。これにより、回動軸３２は、ガイド溝５８内にて領域ｂから領域ｃへ相対的に移動し、また、ロック爪７８はリアケース１２の差込み孔３４から抜き出されると同時に、主脚５０の先端部、即ち、係合爪５６がリアケース１２の凹所３８に対応した領域に位置付けられる。それ故、回動軸３２を中心としたスタンド８の回動が許容され、図１６及び図１７に示すように、使用者はスタンド８を回動させることができる。
【００３７】
このようなスタンド８の回動を受け、凹所３８のＶ字溝４６の中から選択した１つのＶ字溝４６に係合爪５６の先端が対向されたとき、図１８及び１９に示すように、スタンド８は矢印Ｐ方向に押し込まれる。それ故、スタンド８は係合爪５６が選択したＶ字溝４６に噛み合うと同時に、回動軸３２は、ガイド溝５８内にて領域ｃから領域ｂに相対的に移動する。
【００３８】
次いで、図２０及び２１に示すように、係合爪５６が噛み合うＶ字溝４６を支点としてスタンド８が矢印Ｑ方向に回動されると、回動軸３２は、ガイド溝５８内にて領域ｂから領域ａに相対的に移動する。それ故、前述したように回動軸３２は主脚５０の長手方向へのスタンド８の移動を規制するので、係合爪５６はＶ字溝４６に噛み合った状態でロックされ、この結果、スタンド８は、リアケース１２の背面に対し、選択したＶ字溝４６により決定される角度を有した作動位置に保持、即ち、ロックされる。
【００３９】
また、ガイド溝５８の領域ａ、即ち、サブ溝部６６は前述したように、ガイド溝５８の他の領域よりも凹んでいるので、回動軸３２がサブ溝部６６に相対的に移動したとき、一対の主脚５０の復元力により、ガイド溝５８は回動軸３２に向けて変位し、これにより、回動軸３２の先端はサブ溝部６６内に相対的に確実に落ち込んだ状態、即ち、ロック状態となる。それ故、スタンド８は作動位置においても、多重にロックされ、係合爪５６及びＶ字溝４６は、互いに確実に係合されている。
【００４０】
以上のように、スタンド８が作動位置に移動され、この作動位置にてロックされることにより、図２２に示すようにリアケース１２の背面から起立した状態となる。この状態で、図１に示したように電話機２は、スタンド８により決定される設置角度にて、卓上に載置される。
また、電話機２の設置角度を変更するためにスタンド８を他の作動位置に位置付ける場合、あるいは、再度、休止位置に戻す場合は、上記の手順と逆にスタンド８のロックが解除され、スタンド８は他の作動位置又は休止位置にて、再度ロックされる。
（実施例２）
実施例２に係る電話機は、実施例１に係る電話機２と対比したとき、リアケースの形態及びスタンドの休止形態が異なり、それ以外の部分については、実施例１の電話機２と同様である。それ故、実施例２の電話機を説明するにあたり、実施例１の場合とは相違する点についてのみ、以下に説明する。
【００４１】
図２３は、実施例２に係るリアケース８０を示している。
このリアケース８０の膨出部８６は、リアケース８０の上部（矢印Ａ方向側）に配置されている。膨出部８６はその両側面の下部に切欠部を備えており、この切欠部は側壁９６及び端壁１００を有する。これら切欠部の側壁９６には一対の回動軸８８，８８それぞれが設けられている。そして、これら回動軸８８に隣接して凹所９０がそれぞれ配置されている。これら回動軸８８及び凹所９０は、実施例１の回動軸３２及び凹所３８にそれぞれ対応する。また、図２３から明らかなように、リアケース８０の下部にも一対のラバーパッド９２が取り付けられており、これらラバーパッド９２は実施例１のラバーパッド４２に対応する。
【００４２】
図２４に示すように、凹所９０は、例えば、３つのＶ字溝９４を有する。より詳しくは、Ｖ字溝９４は、スタンド８４の作動位置をそれぞれ規定するＶ字溝９４ａ，９４ｂ，９４ｃを含む。なお、端壁１００は、斜面９５を含んでいる。
スタンド８４は、図２３に示すように、その一対の主脚１０２の先端部に係合爪１０８をそれぞれ有し、これら係合爪１０８は、前述したＶ字溝９４の１つに噛み合うことができる。
【００４３】
前述した回動軸８８と協働する主脚１０２のガイド溝１１０は、図２５から明らかなように、Ｔ字形状をなしている。より詳しくは、ガイド溝１１０は、主脚１０２の長手方向に延びるメイン溝部１１４と、このメイン溝部１１４の略中間部分にて略直交するサブ溝部１１６とを有している。サブ溝部１１６は実施例１のサブ溝部６６と対応する。そして、メイン溝部１１４の一端部、即ち、係合爪１０８から遠い側の端部１１４ａは、図２５から明らかなように、サブ溝部１１６と同様にメイン溝部１１４の底よりも更に凹んでいる。
【００４４】
前述したスタンド８４は、図２３中一点鎖線で示すように、そのガイド溝１１０内にリアケース８０の回動軸８８をそれぞれ受け入れることによりリアケース８０の背面に回動可能に取り付けられている。なお、実施例１と同様に、一対の主脚１０２の先端部は、スタンド８４の中心軸線に対し、図２３中矢印Ｓ，Ｒ方向に向けて僅かに傾斜している。
図２６は、休止位置にあるスタンド８４を示している。このとき、スタンド８４はリアケース８０の背面に重ね合わされているが、実施例１の休止位置にあるスタンド８とはその姿勢が逆向きとなっている。即ち、スタンド８４はその補助脚がリアケース８０の下端部に位置付けられている。
【００４５】
ここでも、ガイド溝１１０内における回動軸８８の相対的な位置を説明するために、便宜的にガイド溝１１０内を４つの領域に分けて考える。すなわち、図２７に示すように、メイン溝部１１４の端部１１４ａを領域ｄ、メイン溝部１１４の係合爪１０８側の端部を領域ｅ、メイン溝部１１４における領域ｄ，ｅ間の部分を領域ｆ、サブ溝部１１６を領域ｇとする。
【００４６】
スタンド８４が休止位置にあるとき、図２８及び２９に示すように、回動軸８８（説明の都合上黒点で示している。）はガイド溝１１０の領域ｄに位置付けられ、そして、係合爪１０８は、端壁１００の斜面９５に当接している。それ故、斜面９５は、回動軸８８回りのスタンド８４の回動を規制している。また、このとき、回動軸８８の先端はガイド溝１１０の領域ｄ、即ち、端部１１４ａ内に落ち込んだ状態にあるので、スタンド８４の係合爪１０８が斜面９５から離れる方向へのスタンド８４の移動もまた有効に防止されている。そのため、係合爪１０８と斜面９５との係合は確実に維持され、スタンド８４が不所望に動くことはない。この結果、スタンド８４は休止位置にて多重にロックされ、安定して保持される。
【００４７】
次に、スタンド８４を休止位置から作動位置に位置付ける場合、まず、スタンド８４は、図３０及び３１に示すように、矢印Ｔ方向へ移動される。ここでの移動は、前述した実施例１での場合と同様に、スタンド８４における一対の主脚の先端部間の間隔を増加させるように、これら主脚を弾性変形させ、これより、回動軸８８の先端は、ガイド溝１１０の領域ｄ、即ち、端部１１４ａから相対的に抜け出る。
【００４８】
スタンド８４がＴ方向に更に移動されると、回動軸８８は、ガイド溝１１０の領域ｄから領域ｅへ相対的に移動する一方、スタンド８４の係合爪１０８が斜面９５から離れる。この時点で、係合爪１０８がＶ字溝９４の何れとも干渉せず、スタンド８４は回動軸８８を中心として回動可能となる。
この後、図３２及び３３に示されるように、スタンド８４は回動軸８８を中心に回動され（矢印Ｗ方向）、スタンド８４の係合爪１０８の先端が、Ｖ字溝９４ａ，９４ｂ，９４ｃ中から選択した１つのＶ字溝と対向される。この状態で、図３４及び３５に示すように、スタンド８４が矢印Ｕ方向へ移動されると、回動軸８８がガイド溝１１０内にて領域ｅから領域ｆへ相対的に移動する一方、係合爪１０８が例えば、選択されたＶ字溝９４ｂに受け入れられ、これら係合爪１０８及びＶ字溝９４ｂが噛み合う。
【００４９】
次いで、図３６及び３７に示すように、係合爪１０８が噛み合ったＶ字溝９４ｂを支点としてスタンド８４が矢印Ｖ方向へ回動され、作動位置に位置付けられると、回動軸８８は、ガイド溝１１０内にて領域ｆから領域ｇへ相対的に移動し、これにより、スタンド８４は、主脚１０２の長手方向へのスタンド８４の移動を規制する。それ故、係合爪１０８がＶ字溝９４ｂに噛み合った状態で、スタンド８４は図３８に示すよう作動位置に位置付けられ、この作動位置にてロックされる。ここでのスタンド８４の角度はＶ字溝９４ｂにより決定される。
【００５０】
更に、ガイド溝１１０の領域ｇ、即ち、サブ溝部１１６は、前述のように凹んでいるので、サブ溝部１１６に回動軸８８が位置付けられたとき、スタンド８４における両主脚１０２の復元力により、回動軸８８の先端はサブ溝部１１６内に落ち込んだ状態となる。この結果、作動位置にあっても、スタンド８４は多重にロックされ、安定して保持される。
なお、スタンド８４を他の作動位置又は休止位置へ位置付けする場合は、上記と逆の手順で前述のロックを解除し、他の作動位置又は休止位置にてロックさせる。
【００５１】
本発明は上述した実施例に制約されるものではなく、種々の変形が可能である。
例えば、実施例１及び２において、回動軸がリアケースの膨出部に配置され、回動軸と協働するガイド溝がスタンドに配置されているが、これら回動軸及びガイド溝は、スタンド及び膨出部にそれぞれ配置することも可能である。更に、スタンドの形状は、膨出部を三方から囲むようなＵ字形状に限られるものではない。
【００５２】
更に、本発明のスタンド付き電子機器は、実施例の電話機に限定されるものではなく、薄型テレビ、薄型ディスプレイ等、スタンドにより机上で使用されたり、壁掛けでも使用されるような他の電子機器にも適用できる。
【図面の簡単な説明】
【００５３】
【図１】実施例１に係るスタンド付き電話機の構成を示す斜視図である。
【図２】実施例１に係るリアケースの構成を示す分解斜視図である。
【図３】図２中の円ｈ内を拡大して示す一部切欠斜視図である。
【図４】図２中の円ｉ内を拡大して示す斜視図である。
【図５】図４中のＶ−Ｖ線断面図である。
【図６】図２中のＶＩ矢視図である。
【図７】実施例１に係るリアケースのスタンドが休止位置にある状態における構成を示す斜視図である。
【図８】実施例１に係るスタンドのガイド溝の構成を示す側面図である。
【図９】図２中のＩＸ矢視図である。
【図１０】実施例１におけるスタンドが休止位置にあるときのリアケースとスタンドとの位置関係の概略構成を一部切り欠いて示す側面図である。
【図１１】図１０中の円ｊ内を示す拡大図である。
【図１２】実施例１におけるロックを解除する際のリアケースとスタンドとの位置関係の概略構成を一部切り欠いて示す側面図である。
【図１３】図１２中の円ｋ内を示す拡大図である。
【図１４】実施例１におけるロックを解除する際のリアケースとスタンドとの位置関係の概略構成を一部切り欠いて示す側面図である。
【図１５】図１４中の円ｍ内を示す拡大図である。
【図１６】実施例１におけるスタンドが回動する際のリアケースとスタンドとの位置関係の概略構成を一部切り欠いて示す側面図である。
【図１７】図１６中の円ｎ内を示す拡大図である。
【図１８】実施例１におけるスタンドをロックする際のリアケースとスタンドとの位置関係の概略構成を一部切り欠いて示す側面図である。
【図１９】図１８中の円ｐ内を示す拡大図である。
【図２０】実施例１におけるスタンドをロックする際のリアケースとスタンドとの位置関係の概略構成を一部切り欠いて示す側面図である。
【図２１】図２０中の円ｑ内を示す拡大図である。
【図２２】実施例１に係るスタンドが起立した状態のリアケースの構成を示す斜視図である。
【図２３】実施例２に係るリアケースの構成を示す分解斜視図である。
【図２４】図２３中の円ｒ内を拡大して示す一部切欠斜視図である。
【図２５】図２３中の円ｓ内を拡大して示す斜視図である。
【図２６】実施例２に係るリアケースのスタンドが休止位置にある状態における構成を示す斜視図である。
【図２７】実施例２に係るスタンドのガイド溝の構成を示す側面図である。
【図２８】実施例２におけるスタンドが休止位置にあるときのリアケースとスタンドとの位置関係の概略構成を一部切り欠いて示す側面図である。
【図２９】図２８中の円ｔ内を示す拡大図である。
【図３０】実施例２におけるロックを解除する際のリアケースとスタンドとの位置関係の概略構成を一部切り欠いて示す側面図である。
【図３１】図３０中の円ｕ内を示す拡大図である。
【図３２】実施例２におけるスタンドが回動する際のリアケースとスタンドとの位置関係の概略構成を一部切り欠いて示す側面図である。
【図３３】図３２中の円ｖ内を示す拡大図である。
【図３４】実施例２におけるスタンドをロックする際のリアケースとスタンドとの位置関係の概略構成を一部切り欠いて示す側面図である。
【図３５】図３４中の円ｗ内を示す拡大図である。
【図３６】実施例２におけるスタンドをロックする際のリアケースとスタンドとの位置関係の概略構成を一部切り欠いて示す側面図である。
【図３７】図３６中の円ｘ内を示す拡大図である。
【図３８】実施例２に係るリアケースのスタンドが起立した状態の構成を示す斜視図である。
【符号の説明】
【００５４】
２            電話機
４            筐体
６            送受話器
８            スタンド
１０          前面パネル
１２          リアケース
２９          背壁
３０          膨出部
３２          回動軸
３４          差込み孔
３６          溝
３８          凹所
４０          掛止ブロック
４６          Ｖ字溝
４８          ロアフック孔
５０          主脚
５２          補助脚
５６          係合爪
５８          ガイド溝
６４          メイン溝部
６６          サブ溝部
７６          アッパフック孔
７８          ロック爪
８０          リアケース
８４          スタンド
８６          膨出部
８８          回動軸
９０          凹所
９４          Ｖ字溝
９６          側壁
１００        端壁
１０２        主脚
１１０        ガイド溝
１１４        メイン溝部
１１６        サブ溝部
【図１】
0004548621.tif 000002
【図２】
0004548621.tif 000003
【図３】
0004548621.tif 000004
【図４】
0004548621.tif 000005
【図５】
0004548621.tif 000006
【図６】
0004548621.tif 000007
【図７】
0004548621.tif 000008
【図８】
0004548621.tif 000009
【図９】
0004548621.tif 000010
【図１０】
0004548621.tif 000011
【図１１】
0004548621.tif 000012
【図１２】
0004548621.tif 000013
【図１３】
0004548621.tif 000014
【図１４】
0004548621.tif 000015
【図１５】
0004548621.tif 000016
【図１６】
0004548621.tif 000017
【図１７】
0004548621.tif 000018
【図１８】
0004548621.tif 000019
【図１９】
0004548621.tif 000020
【図２０】
0004548621.tif 000021
【図２１】
0004548621.tif 000022
【図２２】
0004548621.tif 000023
【図２３】
0004548621.tif 000024
【図２４】
0004548621.tif 000025
【図２５】
0004548621.tif 000026
【図２６】
0004548621.tif 000027
【図２７】
0004548621.tif 000028
【図２８】
0004548621.tif 000029
【図２９】
0004548621.tif 000030
【図３０】
0004548621.tif 000031
【図３１】
0004548621.tif 000032
【図３２】
0004548621.tif 000033
【図３３】
0004548621.tif 000034
【図３４】
0004548621.tif 000035
【図３５】
0004548621.tif 000036
【図３６】
0004548621.tif 000037
【図３７】
0004548621.tif 000038
【図３８】
0004548621.tif 000039